(57)【要約】【課題】画像処理システムおよびそのプログラムを提供する。【解決手段】画像処理システムは、管理情報が付され、設定情報に従って、画像データを処理する１台以上の画像処理装置と、１台以上のコンピュータとを有し、画像処理装置は、上記情報が設定される情報設定手段と、上記情報を、要求したコンピュータに送信する第１の情報送信手段と、設定情報に従って、コンピュータから送られてきた画像データを処理する画像処理手段と、コンピュータからの画像データを、設定された設定情報に従って画像データを処理する処理手段とを有し、コンピュータは、上記情報の送信を、管理情報を用いて、画像処理装置に要求する第１の情報要求手段と、画像処理装置から返された設定情報を用いて、この画像処理装置に処理させる画像データを生成して、この画像処理装置に、生成された画像データを送信する生成・送信手段とを有する。【選択図】図１
2011044012.tif 000002
【特許請求の範囲】
【請求項１】
管理情報が付され、設定情報に従って、画像データを処理する１台以上の画像処理装置と、
前記画像処理装置と通信可能に接続された１台以上のコンピュータと
を有し、
前記画像処理装置は、
前記管理情報および前記設定情報が設定される情報設定手段と、
前記コンピュータからの要求に応じて、前記管理情報および前記設定情報またはこれらのいずれかを、要求した前記コンピュータに送信する第１の情報送信手段と、
前記コンピュータからの前記画像データを、設定された前記設定情報に従って処理する処理手段と
を有し、
前記コンピュータは、
前記管理情報および前記設定情報またはこれらのいずれかの送信を、前記管理情報を用いて、前記画像処理装置に要求する第１の送信要求手段と、
前記要求に応じて画像処理装置から返された設定情報を用いて、この画像処理装置に処理させる画像データを生成して、この画像処理装置に、前記生成された画像データを送信する生成・送信手段と
を有する
画像処理システム。
【請求項２】
前記コンピュータの前記生成・送信手段は、前記画像処理装置により印刷される画像データを生成して、前記画像処理装置に送信し、
前記画像処理装置の前記処理手段は、前記コンピュータから送られてきた画像データを印刷する
請求項１に記載の画像処理システム。
【請求項３】
前記画像処理装置は、
予め決められたときに、前記コンピュータに対して、前記管理情報を用いて、前記管理情報および前記設定情報またはこれらのいずれかの送信を要求する第２の送信要求手段
をさらに有し、
前記コンピュータは、
前記画像処理装置からの要求に応じて、前記管理情報を用いて、前記管理情報および前記設定情報またはこれらのいずれかを送信する第２の情報送信手段
をさらに有する
請求項１または２に記載の画像処理システム。
【請求項４】
前記コンピュータは、
前記管理情報および前記設定情報またはこれらのいずれかが変更されたときに、少なくとも前記変更された管理情報および設定情報またはこれらのいずれかを前記画像処理装置に送信する第３の情報送信手段
をさらに有し、
前記画像処理装置の前記情報設定手段は、前記コンピュータから送られてきた前記管理情報および前記設定情報の設定を受ける
請求項１または２に記載の画像処理システム。
【請求項５】
前記コンピュータの前記生成・送信手段は、前記管理情報および前記設定情報またはこれらのいずれかを、前記生成された画像データに付して前記画像処理装置に送信し、
前記画像処理装置の前記情報設定手段は、前記コンピュータから送られてきた前記管理情報および前記設定情報の設定を受ける
請求項１または２に記載の画像処理システム。
【請求項６】
前記コンピュータの生成・送信手段は、予め決められたときに、前記生成された画像データに、前記管理情報および前記設定情報を付して、前記画像処理装置に送信し、
前記画像処理装置の前記情報設定手段は、前記コンピュータから送られてきた前記管理情報および前記設定情報の設定を受ける
請求項１または２に記載の画像処理システム。
【請求項７】
前記画像処理装置は、
予め決められたときに、前記コンピュータに対して、前記管理情報を用いて、前記管理情報および前記設定情報またはこれらのいずれかの送信を要求する第３の送信要求手段
をさらに有し、
前記コンピュータの前記生成・送信手段は、前記画像処理装置からの要求に応じて、前記管理情報を用いて、前記管理情報および前記設定情報またはこれらのいずれかを、前記生成された画像データに付して前記画像処理装置に送信する
請求項１または２に記載の画像処理システム。
【請求項８】
前記画像処理装置は、
予め決められたときに、前記コンピュータに対して、前記管理情報を用いて、前記管理情報および前記設定情報またはこれらのいずれかの送信を要求する第４の送信要求手段
をさらに有し、
前記コンピュータは、
前記画像処理装置からの要求に応じて、前記管理情報を用いて、前記管理情報および前記設定情報またはこれらのいずれかを送信する第４の情報送信手段と、
前記画像処理装置からの前記要求を受けない場合に、前記管理情報および前記設定情報を前記画像処理装置に対して送信する第５の情報送信手段と
をさらに有し、
前記画像処理装置の前記情報設定手段は、前記コンピュータから送られてきた前記管理情報および前記設定情報の設定を受ける
請求項１または２に記載の画像処理システム。
【請求項９】
前記画像処理装置の前記情報設定手段には、予め前記管理情報および前記設定情報が設定され、
前記管理情報は、
識別子
を含み、
前記コンピュータは、
予め決められたときに、前記管理情報および前記設定情報またはこれらのいずれかの送信を、前記識別子を用いて、前記画像処理装置に要求する第５の送信要求手段
をさらに含み、
前記画像処理装置の前記第１の情報送信手段は、前記コンピュータからの要求に応じて、前記識別子を用いて前記管理情報および前記設定情報またはこれらのいずれかの送信を要求したコンピュータに対して、前記識別子に対応する前記管理情報および前記設定情報またはこれらのいずれかを送信する
請求項１または２に記載の画像処理システム。
【請求項１０】
前記１つ以上の画像処理装置のうちの第１の画像処理装置は、
前記１つ以上の画像処理装置のうちの第２の画像処理装置に関する前記管理情報および前記設定情報を記憶する記憶手段と、
前記第２の画像処理装置からの要求に応じて、前記記憶された管理情報または設定情報を前記第２の画像処理装置に送信する第６の情報送信手段と
をさらに有し、
前記第２の画像処理装置は、
前記コンピュータからの要求を受信した場合に、前記第１の画像処理装置に対して、前記管理情報または前記設定情報の送信を要求する第６の送信要求手段
をさらに有する
請求項１または２に記載の画像処理システム。
【請求項１１】
１台以上のコンピュータから、管理情報および画像データの処理に用いられる前記設定情報が設定される情報設定手段と、
前記コンピュータからの要求に応じて、前記管理情報および前記設定情報またはこれらのいずれかを、要求した前記コンピュータに送信する第１の情報送信手段と、
前記コンピュータからの前記画像データを、設定された前記設定情報に従って処理する処理手段と
を有する画像処理装置。
【請求項１２】
前記画像処理装置の前記処理手段は、前記コンピュータから送られてきた画像データを印刷する
請求項１１に記載の画像処理装置。
【請求項１３】
予め決められたときに、前記コンピュータに対して、前記管理情報を用いて、前記管理情報および前記設定情報またはこれらのいずれかの送信を要求する第２の送信要求手段
をさらに有する
請求項１１または１２に記載の画像処理装置。
【請求項１４】
予め決められたときに、前記コンピュータに対して、前記管理情報を用いて、前記管理情報および前記設定情報またはこれらのいずれかの送信を要求する第４の送信要求手段
をさらに有し、
前記画像処理装置の前記情報設定手段は、前記要求に応じて前記コンピュータから送られてきた前記管理情報および前記設定情報、または前記要求なしに前記コンピュータから送られてきた前記管理情報および前記設定情報の設定を受ける
請求項１１または１２に記載の画像処理装置。
【請求項１５】
コンピュータを含み、管理情報が付され、設定情報に従って、画像データを処理する１台以上の画像処理装置と、前記画像処理装置と通信可能に接続された１台以上のコンピュータとを有する画像処理システムにおいて、
前記画像処理装置において、
前記管理情報および前記設定情報が設定されるステップと、
前記コンピュータからの要求に応じて、前記管理情報および前記設定情報またはこれらのいずれかを、要求した前記コンピュータに送信するステップと、
前記コンピュータからの前記画像データを、設定された前記設定情報に従って処理するステップと
を前記画像処理装置のコンピュータに実行させ、
前記コンピュータにおいて、
前記管理情報および前記設定情報またはこれらのいずれかの送信を、前記管理情報を用いて、前記画像処理装置に要求するステップと、
前記要求に応じて画像処理装置から返された設定情報を用いて、この画像処理装置に処理させる画像データを生成して、この画像処理装置に、前記生成された画像データを送信するステップと
を前記コンピュータに実行させる
プログラム。
【請求項１６】
１台以上のコンピュータから、管理情報および画像データの処理に用いられる前記設定情報が設定されるステップと、
前記コンピュータからの要求に応じて、前記管理情報および前記設定情報またはこれらのいずれかを、要求した前記コンピュータに送信するステップと、
前記設定された設定情報に従って、前記コンピュータから送られてきた画像データを処理するステップと、
前記コンピュータからの前記画像データを、設定された前記設定情報に従って処理する処理ステップと
を画像処理装置のコンピュータに実行させるプログラム。
【発明の詳細な説明】
【技術分野】
【０００１】
本発明は、画像処理システムおよびそのプログラムに関する。
【背景技術】
【０００２】
例えば、特許文献１は、様々なネットワーク機器がネットワーク上に接続されている状態で、プリンタをネットワークアダプタを介してネットワーク接続する際に、プリンタがネットワーク上で正常に動作させるために設定すべき適正な各種設定値をサーバコンピュータから取得してアダプタ内の不揮発性メモリ内に自動設定するネットワーク設定方法を開示する。
【先行技術文献】
【特許文献】
【０００３】
【特許文献１】特開２０００−２５９５３８号公報
【発明の概要】
【発明が解決しようとする課題】
【０００４】
本発明は、ネットワークに接続されたコンピュータに、画像処理装置の設定情報を通知する画像処理システムおよびそのプログラムを提供することを目的とする。
【課題を解決するための手段】
【０００５】
本願請求項１にかかる発明は、管理情報が付され、設定情報に従って、画像データを処理する１台以上の画像処理装置と、前記画像処理装置と通信可能に接続された１台以上のコンピュータとを有し、前記画像処理装置は、前記管理情報および前記設定情報が設定される情報設定手段と、前記コンピュータからの要求に応じて、前記管理情報および前記設定情報またはこれらのいずれかを、要求した前記コンピュータに送信する第１の情報送信手段と、前記設定された設定情報に従って、前記コンピュータから送られてきた画像データを処理する画像処理手段と、前記コンピュータからの前記画像データを、設定された前記設定情報に従って処理する処理手段とを有し、前記コンピュータは、前記管理情報および前記設定情報またはこれらのいずれかの送信を、前記管理情報を用いて、前記画像処理装置に要求する第１の送信要求手段と、前記要求に応じて画像処理装置から返された設定情報を用いて、この画像処理装置に処理させる画像データを生成して、この画像処理装置に、前記生成された画像データを送信する生成・送信手段とを有する画像処理システムである。
【０００６】
本願請求項２にかかる発明は、前記コンピュータの前記生成・送信手段は、前記画像処理装置により印刷される画像データを生成して、前記画像処理装置に送信し、前記画像処理装置の前記処理手段は、前記コンピュータから送られてきた画像データを印刷する請求項１に記載の画像処理システムである。
【０００７】
本願請求項３にかかる発明は、前記画像処理装置は、予め決められたときに、前記コンピュータに対して、前記管理情報を用いて、前記管理情報および前記設定情報またはこれらのいずれかの送信を要求する第２の送信要求手段をさらに有し、前記コンピュータは、前記画像処理装置からの要求に応じて、前記管理情報を用いて、前記管理情報および前記設定情報またはこれらのいずれかを送信する第２の情報送信手段をさらに有する請求項１または２に記載の画像処理システムである。
【０００８】
本願請求項４にかかる発明は、前記コンピュータは、前記管理情報および前記設定情報またはこれらのいずれかが変更されたときに、少なくとも前記変更された管理情報および設定情報またはこれらのいずれかを前記画像処理装置に送信する第３の情報送信手段をさらに有し、前記画像処理装置の前記情報設定手段は、前記コンピュータから送られてきた前記管理情報および前記設定情報の設定を受ける請求項１または２に記載の画像処理システムである。
【０００９】
本願請求項５にかかる発明は、前記コンピュータの前記生成・送信手段は、前記管理情報および前記設定情報またはこれらを、前記生成された画像データに付して前記画像処理装置に送信し、前記画像処理装置の前記情報設定手段は、前記コンピュータから送られてきた前記管理情報および前記設定情報の設定を受ける請求項１または２に記載の画像処理システムである。
【００１０】
本願請求項６にかかる発明は、前記コンピュータの生成・送信手段は、予め決められたときに、前記生成された画像データに、前記管理情報および前記設定情報を付して、前記画像処理装置に送信し、
前記画像処理装置の前記情報設定手段は、前記コンピュータから送られてきた前記管理情報および前記設定情報の設定を受ける
請求項１または２に記載の画像処理システム。
【００１１】
本願請求項７にかかる発明は、前記画像処理装置は、予め決められたときに、前記コンピュータに対して、前記管理情報を用いて、前記管理情報および前記設定情報またはこれらのいずれかの送信を要求する第３の送信要求手段をさらに有し、前記コンピュータの前記生成・送信手段は、前記画像処理装置からの要求に応じて、前記管理情報を用いて、前記管理情報および前記設定情報またはこれらのいずれかを、前記生成された画像データに付して前記画像処理装置に送信する請求項１または２に記載の画像処理システムである。
【００１２】
本願請求項８にかかる発明は、前記画像処理装置は、予め決められたときに、前記コンピュータに対して、前記管理情報を用いて、前記管理情報および前記設定情報またはこれらのいずれかの送信を要求する第４の送信要求手段
をさらに有し、前記コンピュータは、前記画像処理装置からの要求に応じて、前記管理情報を用いて、前記管理情報および前記設定情報またはこれらのいずれかを送信する第４の情報送信手段と、前記画像処理装置からの前記要求を受けない場合に、前記管理情報および前記設定情報を前記画像処理装置に対して送信する第５の情報送信手段とをさらに有し、前記画像処理装置の前記情報設定手段は、前記コンピュータから送られてきた前記管理情報および前記設定情報の設定を受ける請求項１または２に記載の画像処理システムである。
【００１３】
本願請求項９にかかる発明は、前記画像処理装置の前記情報設定手段には、予め前記管理情報および前記設定情報が設定され、前記管理情報は、識別子を含み、前記コンピュータは、予め決められたときに、前記管理情報および前記設定情報またはこれらのいずれかの送信を、前記識別子を用いて、前記画像処理装置に要求する第５の送信要求手段をさらに含み、前記画像処理装置の前記第１の情報送信手段は、前記コンピュータからの要求に応じて、前記識別子を用いて前記管理情報および前記設定情報またはこれらのいずれかの送信を要求したコンピュータに対して、前記識別子に対応する前記管理情報および前記設定情報またはこれらのいずれかを送信する請求項１または２に記載の画像処理システムである。
【００１４】
本願請求項１０にかかる発明は、前記１つ以上の画像処理装置のうちの第１の画像処理装置は、前記１つ以上の画像処理装置のうちの第２の画像処理装置に関する前記管理情報および前記設定情報を記憶する記憶手段と、前記第２の画像処理装置からの要求に応じて、前記記憶された管理情報または設定情報を前記第２の画像処理装置に送信する第６の情報送信手段とをさらに有し、前記第２の画像処理装置は、前記コンピュータからの要求を受信した場合に、前記第１の画像処理装置に対して、前記管理情報または前記設定情報の送信を要求する第６の送信要求手段をさらに有する請求項１または２に記載の画像処理システムである。
【００１５】
本願請求項１１にかかる発明は、１台以上のコンピュータから、管理情報および画像データの処理に用いられる前記設定情報が設定される情報設定手段と、前記コンピュータからの要求に応じて、前記管理情報および前記設定情報またはこれらのいずれかを、要求した前記コンピュータに送信する第１の情報送信手段と、前記設定された設定情報に従って、前記コンピュータから送られてきた画像データを処理する画像処理手段と、前記コンピュータからの前記画像データを、設定された前記設定情報に従って処理する処理手段とを有する画像処理装置である。
【００１６】
本願請求項１２にかかる発明は、前記処理装置の前記画像処理手段は、前記コンピュータから送られてきた画像データを印刷する請求項１１に記載の画像処理装置である。
【００１７】
本願請求項１３にかかる発明は、予め決められたときに、前記コンピュータに対して、前記管理情報を用いて、前記管理情報および前記設定情報またはこれらのいずれかの送信を要求する第２の送信要求手段をさらに有する請求項１１または１２に記載の画像処理装置である。
【００１８】
本願請求項１４にかかる発明は、予め決められたときに、前記コンピュータに対して、前記管理情報を用いて、前記管理情報および前記設定情報またはこれらのいずれかの送信を要求する第４の送信要求手段をさらに有し、前記画像処理装置の前記情報設定手段は、前記コンピュータから送られてきた前記管理情報および前記設定情報の設定を受ける請求項１１または１２に記載の画像処理装置である。
【００１９】
本願請求項１５にかかる発明は、コンピュータを含み、管理情報が付され、設定情報に従って、画像データを処理する１台以上の画像処理装置と、前記画像処理装置と通信可能に接続された１台以上のコンピュータとを有する画像処理システムにおいて、前記画像処理装置において、前記管理情報および前記設定情報が設定されるステップと、前記コンピュータからの要求に応じて、前記管理情報および前記設定情報またはこれらのいずれかを、要求した前記コンピュータに送信するステップと、前記設定された設定情報に従って、前記コンピュータから送られてきた画像データを処理するステップと、前記コンピュータから前記画像データを、設定された前記設定情報に従って処理するステップとを前記画像処理装置のコンピュータに実行させ、前記コンピュータにおいて、前記管理情報および前記設定情報またはこれらのいずれかの送信を、前記管理情報を用いて、前記画像処理装置に要求するステップと、前記要求に応じて画像処理装置から返された設定情報を用いて、この画像処理装置に処理させる画像データを生成して、この画像処理装置に、前記生成された画像データを送信するステップとを前記コンピュータに実行させるプログラムである。
【００２０】
本願請求項１６にかかる発明は、１台以上のコンピュータから、管理情報および画像データの処理に用いられる前記設定情報が設定されるステップと、前記コンピュータからの要求に応じて、前記管理情報および前記設定情報またはこれらのいずれかを、要求した前記コンピュータに送信するステップと、前記設定された設定情報に従って、前記コンピュータから送られてきた画像データを処理するステップと、前記コンピュータから前記画像データを受信し、設定された前記設定情報に従って処理する処理ステップとを画像処理装置のコンピュータに実行させるプログラムである。
【発明の効果】
【００２１】
本願請求項１にかかる発明によれば、ネットワークに接続されたコンピュータに、画像処理装置の設定情報を通知する画像処理システムを提供できる。
【００２２】
本願請求項２にかかる発明によれば、請求項１に係る本発明により得られる効果に加えて、ネットワークを介した印刷に適した画像処理システムを提供できる。
【００２３】
本願請求項３にかかる発明によれば、請求項１または２に係る本発明により得られる効果に加えて、予め決められたときに、画像処理装置に対して、その管理に用いられる管理情報およびその処理に用いられる設定情報を設定する画像処理システムを提供できる。
【００２４】
本願請求項４にかかる発明によれば、請求項１または２に係る本発明により得られる効果に加えて、管理情報および設定情報に変化が生じたときに、変化した情報を画像処理装置に設定する画像処理システムを提供できる。
【００２５】
本願請求項５にかかる発明によれば、請求項１または２に係る本発明により得られる効果に加えて、画像処理のたびに、画像処理装置に対して管理情報および設定情報を設定する画像処理システムを提供できる。
【００２６】
本願請求項６にかかる発明によれば、請求項１または２に係る本発明により得られる効果に加えて、コンピュータ主導で、予め決められたときに、管理情報および設定情報を設定する画像処理システムを提供できる。
【００２７】
本願請求項７にかかる発明によれば、請求項１または２に係る本発明により得られる効果に加えて、画像処理装置主導で、予め決められたときに、管理情報および設定情報を設定する画像処理システムを提供できる。
【００２８】
本願請求項８にかかる発明によれば、請求項１または２に係る本発明により得られる効果に加えて、コンピュータおよび画像処理装置のいずれもが、管理情報および設定情報の設定を主導する画像処理システムを提供できる。
【００２９】
本願請求項９にかかる発明によれば、請求項１または２に係る本発明により得られる効果に加えて、同じ識別子を有するコンピュータに、画像処理装置から同じ管理情報および設定情報を設定する画像処理システムを提供できる。
【００３０】
本願請求項１０にかかる発明によれば、請求項１または２に係る本発明により得られる効果に加えて、画像処理装置の資源容量が不足している場合に他の画像処理装置に管理情報および設定情報を記憶させることが可能な画像処理システムを提供できる。
【００３１】
本願請求項１１にかかる発明によれば、ネットワークに接続されたコンピュータに、画像処理装置の設定情報を通知する画像処理装置を提供できる。
【００３２】
本願請求項１２にかかる発明によれば、請求項１１に係る本発明により得られる効果に加えて、ネットワークを介した印刷に適した画像処理装置を提供できる。
【００３３】
本願請求項１３にかかる発明によれば、請求項１１または１２に係る本発明により得られる効果に加えて、予め決められたときに、画像処理装置に対して、その管理に用いられる管理情報およびその処理に用いられる設定情報を設定する画像処理装置を提供できる。
【００３４】
本願請求項１４にかかる発明によれば、請求項１１または１２に係る本発明により得られる効果に加えて、画像処理装置主導で、予め決められたときに、管理情報および設定情報を設定する画像処理装置を提供できる。
【００３５】
本願請求項１５にかかる発明によれば、ネットワークに接続されたコンピュータに、画像処理装置の設定情報を通知するプログラムを提供できる。
【００３６】
本願請求項１６にかかる発明によれば、ネットワークに接続された画像処理装置から、コンピュータに、画像処理装置の設定情報を通知するプログラムを提供できる。
【図面の簡単な説明】
【００３７】
【図１】本願実施形態が適用される第１のネットワークシステムの構成を例示する図である。
【図２】図１に示したプリンタ装置３それぞれに記憶される管理情報および設定情報を示す図である。
【図３】図３は、コンピュータ２からプリンタ装置に送信され、印刷出力される画像データ（ジョブデータ）を示す図である。
【図４】図３に示したジョブデータに、管理情報と設定情報とが付加されうる場合に、プリンタ装置が管理情報と設定情報とを更新する処理を示す第１のフローチャートである。
【図５】プリンタ装置３のデバイスドライバがイントールされたときに、コンピュータがインストールされたデバイスドライバに対応するプリンタ装置を検索し、検索の結果として見つかったプリンタ装置から設定情報を取得する動作（Ｓ１４）を示す第１の通信シーケンス図である。
【図６】図１に示した第１のネットワークシステム１において、図３に示したジョブデータを用いて、所定のタイミングでプリンタ装置３に設定情報を設定する第３の動作（Ｓ１８）を示す第２のフローチャートである。
【図７】図１に示した第１のネットワークシステム１の第４の動作において用いられるジョブデータを示す図である。
【図８】予め決められたときにコンピュータ２からプリンタ装置に設定情報を設定するための動作（Ｓ２０）を示す第３のフローチャートである。
【図９】図１に示したプリンタ装置からコンピュータ２に対して設定情報の更新を要求し、コンピュータがこれに応じてプリンタ装置に設定情報を送信する動作（Ｓ２２）を示す第２の通信シーケンス図である。
【図１０】図９に示したＳ２２２，Ｓ２２４の処理により、設定情報の送信を要求されたコンピュータ２の動作（Ｓ２６）を示す第４のフローチャートである。
【図１１】図９に示したＳ２２２，Ｓ２２４の処理により、設定情報の送信を要求されたコンピュータ２の動作（Ｓ２８）を示す第５のフローチャートである。
【図１２】図１２は、共通の識別子（ＩＤ）が付された１つ以上のコンピュータ２に対して、プリンタ装置からＩＤに共通の管理情報および設定情報を送信する動作（Ｓ３２）を示す第３の通信シーケンス図である。
【図１３】本願実施形態が適用される第２のネットワークシステムの構成を例示する図である。
【図１４】図１３に示した情報管理プリンタ装置に記憶される、プリンタ装置および情報管理プリンタ装置の管理情報および設定情報を示す図である。
【図１５】図１３に示した第２のネットワークシステム４の動作（Ｓ３６）を示す第４の通信シーケンス図である。
【発明を実施するための形態】
【００３８】
［本願実施形態がなされるに至った経緯］
本願実施形態の説明の前に、まず、その理解を助けるために、本願実施形態がなされた経緯を説明する。
一般的に、プリンタ装置のなどのネットワーク装置をネットワークに接続するときには、ネットワーク装置に対して、ネットワークの設定を行う必要がある。
例えば、上記特許文献１には、ネットワーク装置を、アダプタを介してネットワークに接続することにより、サーバからネットワーク装置に設定されるべき情報を取得し、設定する方法が開示されている。
【００３９】
一方、ネットワークにおいてネットワーク装置を利用するときには、ネットワークに接続され、ネットワーク装置を利用するコンピュータ側に、ネットワーク装置のネットワーク情報を設定する必要がある。
この必要を満たすために、特許文献１に開示された方法においては、コンピュータの入れ替え時や新設時には、ネットワークに接続されたネットワーク装置を利用するためのネットワーク情報を、入れ替えられたり新設されたりしたコンピュータに、ネットワーク装置のネットワーク情報を設定する必要がある。
【００４０】
本願実施形態は、ネットワークに接続されたコンピュータから、このネットワークに接続されているプリンタ装置などのネットワーク装置を利用するための情報、および、このネットワーク装置を利用するユーザの情報をプリンタへ保存しておき、コンピュータの入れ替えや新設があったときに、そのコンピュータに、これらの情報を設定するように構成されている。
このように構成することにより、利用者が、手作業などでコンピュータにネットワーク装置を利用するための設定を行わなくても、コンピュータから、その入れ替えや新設以前と同じ設定で、ネットワーク装置を利用することができるようになる。
なお、ネットワーク装置の処理の内容を指定するために設定される情報、ネットワーク情報およびネットワーク装置の利用に必要とされる情報、片面印刷を行うか両面印刷を行うかや１枚の用紙に複数の画像を印刷するかなどのネットワーク装置において利用される機能などを示す情報（以下、これらを総称して「設定情報」と記す）は、ネットワーク装置が利用されるときに、ネットワーク装置に保存される。
設定情報の保存先は、各ネットワーク装置であっても、複数のプリンタの内、メモリなどの資源を他より多く有しているネットワーク装置でもよく、後者の場合には、保存先のネットワーク装置において、設定情報は、その設定情報を用いるネットワーク装置ごとに記憶され、管理される。
【００４１】
設定情報の保存の際には、設定情報を管理するための識別子（ＩＤ）などの管理情報が生成され、ネットワーク装置に保存される。
この管理情報としては、例えば、コンピュータの利用者のユーザＩＤおよびパスワードなどが用いられる。
また、例えば、コンピュータへネットワーク装置の利用のために必要なソフトウェア（デバイスドライバ）をインストールするタイミングで、コンピュータからネットワーク装置に、管理情報および設定情報を送り、設定させるとよい。
【００４２】
［本願実施形態の説明］
以下、本願実施形態を説明する。
【００４３】
［第１のネットワークシステム１］
図１は、本願実施形態が適用される第１のネットワークシステム１の構成を例示する図である。
図１に示すように、ネットワークシステム１は、コンピュータ２−１〜２−ｎ（ｎ≧１；ｎは常に同じ数であるとは限らない）、および、コンピュータ２から送られてきた画像データを印刷出力するプリンタ装置３−１〜３−ｎが、ネットワーク１２０を介して相互に通信可能に接続されて構成される。
ネットワークシステム１は、これらの構成部分により、プリンタ装置３に記憶された処理データが、入れ替えられ、あるいは、新設されたコンピュータ２に設定され、プリンタ装置３がネットワークシステム１により利用可能とされる。
【００４４】
なお、コンピュータ２−１〜２−ｎなどのように、複数あり得る構成部分のいずれかが、特定されずに示されるときには、単にコンピュータ２と略記されることがある。
また、説明の具体化および明確化のために、以下の説明においては、ネットワークシステム１に、コンピュータ２とプリンタ装置３とが接続され、コンピュータ２からの画像データがプリンタ装置３により印刷出力される場合が具体例とされるが、プリンタ装置３が処理するデータは、画像データに限らず、テキストデータなど、他の種類のデータであってもよく、また、プリンタ装置３は、画像処理装置およびデータサーバなどの他の種類の装置であってもよい。
また、ネットワークシステム１において、情報処理および情報通信の主体となりうるコンピュータ２およびプリンタ装置３は、総称されてノードとも記される。
【００４５】
［ハードウェア構成］
図１に示すように、ネットワークシステム１を構成するノードは、ＣＰＵ１０２、ＲＯＭおよびＲＡＭなどを含むメモリ１０４およびこれらの周辺回路などから構成される本体１００、表示装置、キーボードおよびマウスなどを含む入出力装置１０６、ネットワーク１２０と本体１００との間で情報を送受信するインターフェース（ＩＦ）１１０、ＨＤ，ＣＤ，ＤＶＤ，ＦＤ，不揮発性メモリなどの記憶媒体１１４に対してデータの書き込みおよび読み出しを行う記憶装置１１２、および、例えば、プリンタ装置３において印刷出力のために用いられる画像形成装置などの機能実現部１１６から構成される。
つまり、ネットワークシステム１を構成する各ノードは、それぞれの機能を実現するための構成部分を有し、他のノードと通信可能な一般的なコンピュータとしての構成部分を有している（以下同様）。
【００４６】
［ネットワークシステム１において用いられる情報・データ］
図２は、図１に示したプリンタ装置３それぞれに記憶される管理情報および設定情報を示す図である。
図３は、コンピュータ２からプリンタ装置３に送信され、印刷出力される画像データ（ジョブデータ）を示す図である。
図２に示すように、プリンタ装置３のメモリ１０４（図１）それぞれに記憶され、設定情報の管理に用いられる管理情報は、それぞれ、例えば、コンピュータ２の利用者のＩＤとパスワードとを対応付けて含む。
プリンタ装置３それぞれに記憶される設定情報は、管理情報それぞれに対応付けられる。
【００４７】
設定情報は、例えばプリンタ装置３に関するデバイスドライバがコンピュータ２にイントールされた場合に、そのコンピュータ２においてそのプリンタ装置３の機能を利用するための情報である。
この設定情報は、機器設定情報と利用者情報とを含み、利用者情報は、例えばコンピュータ２の利用者のＩＤおよびパスワード等を含む。
また、機器設定情報は、そのコンピュータ２の利用者に対応する、プリンタ装置３の設定に関する情報であり、ネットワーク情報、プリンタ装置３を利用するための情報、およびそのプリンタ装置３の機能を示す情報等を含み、例えば、プリンタ装置３のネットワークアドレス（ＩＰアドレス）およびポート名等を含む。
また、図３に示すように、コンピュータ２からプリンタ装置３に送られるジョブデータには、画像データおよびその出力形式などを指定する印刷ジョブデータの他に、図２に示した管理情報および設定情報が付加されうる。
つまり、プリンタ装置３は、図３に示したコンピュータ２からのジョブデータに含まれる設定情報に基づいて、図２に示した設定情報を記憶しうる。
【００４８】
［第１の動作］
以下、図１に示した第１のネットワークシステム１の第１の動作（Ｓ１０）を説明する。
図４は、図３に示したジョブデータに、管理情報と設定情報とが付加されうる場合に、プリンタ装置３が管理情報と設定情報とを更新する処理（Ｓ１０）を示す第１のフローチャートである。
なお、以下にフローチャートおよび通信シーケンス図を参照して説明される各処理は、コンピュータによるソフトウェア的な処理によっても、専用のハードウェアによっても、汎用のハードウェアによっても実現されうる。
以下の説明においては、以下に説明される各処理は、コンピュータ２およびプリンタ装置３において動作するＯＳ上で動作するソフトウェア（図示せず）により、これらのハードウェア資源（図１）を具体的に利用して実現される。
コンピュータ２は、プリンタ装置３に設定情報を設定し、あるいは、プリンタ装置３の設定情報を更新するときには、図３に示したように、ジョブデータに管理情報および設定情報を含めてプリンタ装置３に送信する。
【００４９】
図４に示すように、ステップ１００（Ｓ１００）において、プリンタ装置３は、コンピュータ２から受信したジョブデータに、設定情報が付加されているか（設定情報の更新があるか）否かを判断する。
これらの情報が付加されていたときには、プリンタ装置３はＳ１０２の処理に進み、これ以外のときにはＳ１１６の処理に進む。
【００５０】
ステップ１０２（Ｓ１０２）において、プリンタ装置３は、ジョブデータから設定情報を読み出す。
ステップ１０４（Ｓ１０４）において、プリンタ装置３は、ジョブデータに管理情報が付加されているか否かを判断する。
管理情報が付加されているときには、プリンタ装置３はＳ１０６の処理に進み、これ以外のときにはＳ１１６の処理に進む。
ステップ１０６（Ｓ１０６）において、プリンタ装置３は、ジョブデータに付加された管理情報を読み出す。
【００５１】
ステップ１０８（Ｓ１０８）において、プリンタ装置３は、Ｓ１０６の処理において読み出された管理情報の利用者ＩＤと同じ利用者ＩＤが、プリンタ装置３に記憶されている管理情報に含まれているか否かを判断する。
利用者ＩＤが含まれているときにはＳ１１０の処理に進み、これ以外のときにはＳ１１４の処理に進む。
ステップ１１０（Ｓ１１０）において、プリンタ装置３は、Ｓ１０６の処理において読み出された管理情報にパスワード（ＰＷ）が含まれ、同じくＳ１０６の処理において読み出された利用者のＰＷと、Ｓ１０８で読みだしたプリンタ装置３に記憶されている管理情報の同じ利用者ＩＤに該当するＰＷとが一致するか否かを判断する。
管理情報のパスワードが含まれ、一致するときには、プリンタ装置３は、Ｓ１１２の処理に進み、これ以外のときにはＳ１１６の処理に進む。
【００５２】
ステップ１１２（Ｓ１１２）において、プリンタ装置３は、新たに受信した設定情報を、それまで記憶されていた設定情報に上書きし、設定情報を更新する。
ステップ１１４（Ｓ１１４）において、プリンタ装置３は、Ｓ１０２で読み出された設定情報とＳ１０６で読み出された管理情報とを、新規に追加登録する。
【００５３】
ステップ１１６（Ｓ１１６）において、プリンタ装置３は、ジョブデータに有効な印刷ジョブデータが含まれているか否かを判断する。
有効な印刷ジョブデータが含まれているときには、プリンタ装置３はＳ１１８の処理に進み、これ以外のときには処理を終了する。
ステップ１１８（Ｓ１１８）において、プリンタ装置３は、機能実現部１１６（図１）を用いて、印刷ジョブデータを印刷出力する。
なお、コンピュータ２からプリンタ装置３への管理情報および設定情報の設定には、図３（図７）に示したジョブデータではなく、管理情報および設定情報の設定のために定義された信号を用いてもよい（以下同様）。
ここで、上記の第１の動作においては、プリンタ装置３は、コンピュータ２からのジョブデータに基づいて設定情報を上書きするとし、または新規登録するとしたが、予め、管理者等がプリンタ装置３に管理情報および設定情報を記憶させておくように構成してもよい。
この場合、管理者の操作等によって、プリンタ装置３に記憶された管理情報および設定情報をコンピュータ２からのジョブデータによって上書きされないように設定するようにしてもよい。
【００５４】
［第２の動作］
以下、図１に示した第１のネットワークシステム１の第２の動作（Ｓ１４）を説明する。
図５は、プリンタ装置３のデバイスドライバがイントールされたときに、コンピュータ２がインストールされたデバイスドライバに対応するプリンタ装置３を検索し、検索の結果として見つかったプリンタ装置３から設定情報を取得する動作（Ｓ１４）を示す第１の通信シーケンス図である。
図５に示すように、ステップ１４０（Ｓ１４０）において、コンピュータ２に、その入れ替えまたは新設に伴い、ある種類のプリンタ装置３用のデバイスドライバがインストールされる。
ステップ１４２，１４４（Ｓ１４２，Ｓ１４４）において、コンピュータ２は、インストールされたデバイスドライバに適合する種類のプリンタ装置３が、ネットワークシステム１に存在するか否かを検索するために、プリンタ装置３それぞれに対して、その種類を示す機種情報および管理情報を要求する。
【００５５】
ステップ１４６，１４８（Ｓ１４６，Ｓ１４８）において、プリンタ装置３は、コンピュータ２からの要求に応じて、入出力装置１０６あるいは記憶装置１１２などを介して予め設定されていた機種情報および管理情報を、要求元のコンピュータ２に送信する。
ステップ１５０（Ｓ１５０）において、コンピュータ２は、プリンタ装置３から返された機種情報と、インストールされたデバイスドライバに適合する機種情報とを照合し、プリンタ装置３から返された機種情報が示す機種と、インストールされたデバイスドライバに適合する機種とが一致するか否かを判断する。
機種情報が示す機種と、インストールされたデバイスドライバに適合する機種とが一致し、またプリンタ装置３から返された管理情報にコンピュータ２の利用者に該当するＩＤが含まれていたときには、ステップ１５２，１５４（Ｓ１５２，Ｓ１５４）において、コンピュータ２は、デバイスドライバに適合する機種のプリンタ装置３に対して、該当するＩＤの管理情報を返送して設定情報の送信を要求する。
【００５６】
ステップ１５６，１５８（Ｓ１５６，Ｓ１５８）において、プリンタ装置３は、コンピュータ２の送信要求に該当する設定情報を、自身の記憶装置から読み出して、読み出した設定情報をコンピュータ２に対して送信する。
ステップ１６０（Ｓ１６０）において、コンピュータ２は、プリンタ装置３から受信した設定情報を、インストールされたデバイスドライバに設定する。
ステップ１６２（Ｓ１６２）において、コンピュータ２は、Ｓ１６０の処理により使用可能となったプリンタ装置３を示すアイコンを作成し、入出力装置１０６などに表示する。
ステップ１６４（Ｓ１６４）において、コンピュータ２は、デバイスドライバがインストールされたプリンタ装置３を使用可能な状態とする。
なお、ここで説明した第２の動作は、コンピュータ２の入れ替え・新設の際に、デバイスドライバのインストールの有無にかかわらず実行されうる。
【００５７】
［第３の動作］
以下、図１に示した第１のネットワークシステム１の第３の動作（Ｓ１８）を説明する。
前述した第１の動作においては、コンピュータ２は、印刷処理の都度、設定情報をプリンタ装置３に対して送信するとしたが、所定のタイミングで、コンピュータ２から設定情報をプリンタ装置３に対して送信されるように構成してもよい。
図６は、図１に示した第１のネットワークシステム１において、図３に示したジョブデータを用いて、所定のタイミングでプリンタ装置３に設定情報を設定する第３の動作（Ｓ１８）を示す第２のフローチャートである。
ステップ１８０（Ｓ１８０）において、コンピュータ２は、印刷ジョブデータを作成する。
【００５８】
ステップ１８２（Ｓ１８２）において、コンピュータ２は、あるプリンタ装置３に対して設定情報を送信するタイミングであるか否かを判断する。
このタイミングは、例えば、その日の最初の印刷のとき又はプリンタ装置３に設定すべき設定情報に変化が生じた直後に、プリンタ装置３に印刷出力を行わせる場合である。
タイミングが来たときには、コンピュータ２はＳ１８４の処理に進み、これ以外のときにはＳ１８８の処理に進み印刷ジョブデータのみを送信する。
ステップ１８４（Ｓ１８４）において、コンピュータ２は、設定情報の更新の対象とすべきプリンタ装置３に記憶すべき管理情報および設定情報を読み出す。
【００５９】
ステップ１８６（Ｓ１８６）において、コンピュータ２は、Ｓ１８２において読みだした管理情報および設定情報を、印刷ジョブデータに付加する。
ステップ１８８（Ｓ１８８）において、コンピュータ２は、Ｓ１８６において印刷ジョブデータに管理情報および設定情報を付加して生成されたジョブデータを、プリンタ装置３に対して送信する。
このジョブデータを受けたプリンタ装置３は、コンピュータ２から受信したジョブデータに含まれる設定情報に基づいて、図４に示した動作（Ｓ１０）を行って、プリンタ装置３に記憶された設定情報を更新する。
【００６０】
なお、コンピュータ２の入れ替え・新設に伴って、コンピュータ２がプリンタ装置３から管理情報および設定情報を受けるための動作は、図５に示した動作（Ｓ１４）と同じである（以下同様）。
また、ここで示した動作の際に、プリンタ装置３に印刷出力を行わせたくないときには、図７を用いて後述するような空の印刷ジョブデータを含めればよい（以下同様）。
【００６１】
［第４の動作］
以下、図１に示した第１のネットワークシステム１の第４の動作（Ｓ２０）を説明する。
前述した第１の動作および第３の動作においては、コンピュータ２は、印刷処理の際に、設定情報をプリンタ装置３に対して送信するとしたが、印刷とは関係ないタイミングで、コンピュータ２から設定情報をプリンタ装置３に対して送信されるように構成してもよい。
図７は、図１に示した第１のネットワークシステム１の第４の動作において用いられるジョブデータを示す図である。
図８は、予め決められたときにコンピュータ２からプリンタ装置３に設定情報を設定するための動作（Ｓ２０）を示す第３のフローチャートである。
図８に示すように、予め決められたタイミング（予め決められた時刻あるいはコンピュータ２が起動されたときなど、プリンタ装置３による印刷出力と関係がないタイミング）がくると、ステップ２００（Ｓ２００）において、コンピュータ２は、管理情報および設定情報を、自身のメモリなどの記憶装置から読み出す。
【００６２】
ステップ２０２（Ｓ２０２）において、コンピュータ２のシステムが終了するか否かを判断し、終了する場合には、管理情報および設定情報をプリンタ装置３に対して送信せずに処理が終了し、終了しない場合にはＳ２０４に処理が進む。
ステップ２０４（Ｓ２０４）において、予め決められたタイミングであるか否かを判断し、そうである場合には処理はＳ２０６に進み、それ以外の場合には処理はＳ２０２に戻る
【００６３】
ステップ２０６（Ｓ２０６）において、コンピュータ２は、図７に示したように、Ｓ２００で読みだした管理情報および設定情報に空の印刷ジョブデータを付加することにより、ジョブデータを生成する。
ステップ２０８（Ｓ２０８）において、コンピュータ２は、Ｓ２０６の処理において生成されたジョブデータを、設定情報の更新の対象なるプリンタ装置３に対して送信する。
【００６４】
［第５の動作］
以下、図１に示した第１のネットワークシステム１の第５の動作（Ｓ２２〜Ｓ２８）を説明する。
図９は、図１に示したプリンタ装置３からコンピュータ２に対して設定情報の更新を要求し、コンピュータ２がこれに応じてプリンタ装置３に設定情報を送信する動作（Ｓ２２）を示す第２の通信シーケンス図である。
図１０，図１１は、図９に示したＳ２２２，Ｓ２２４の処理により、設定情報の送信を要求されたコンピュータ２の動作（Ｓ２６，Ｓ２８）を示す第４，第５のフローチャートである。
【００６５】
図９に示すように、ステップ２２０（Ｓ２２０）において、プリンタ装置３が起動されるなどの予め決められた事象が発生する。
ステップ２２２，２２４（Ｓ２２２，Ｓ２２４）において、プリンタ装置３は、コンピュータ２に対して、設定情報の送信を要求する。
ステップ２２６（Ｓ２２６）において、プリンタ装置３は、図３，図７に示したように、管理情報および設定情報を付加したジョブデータを生成する。
【００６６】
ステップ２３０，２３２（Ｓ２３０，Ｓ２３２）において、コンピュータ２は、Ｓ２２６の処理において生成したジョブデータを、プリンタ装置３に対して送信する。
ステップ２３４，２３６（Ｓ２３４，Ｓ２３６）において、プリンタ装置３は、プリンタ装置３から送信されてきたジョブデータを受信して、管理情報および設定情報を取得し、記憶する。
【００６７】
図１０に示すように、設定情報の送信を要求されたコンピュータ２の動作（Ｓ２６）は、図６に示したＳ１８２の処理を、Ｓ２６０で置き換えることにより実現される。
プリンタ装置３から設定情報送信の要求があると、コンピュータ２は、その後に印刷処理を行う場合にＳ２６の処理を開始する。
図１０に示すように、Ｓ１８０の処理が終わると、ステップ２６０（Ｓ２６０）において、コンピュータ２は、プリンタ装置３から設定情報の送信の要求があったか否かを判断する。
送信の要求があったときには、コンピュータ２はＳ１８６の処理に進み、これ以外のときにはＳ１８８の処理に進む。
【００６８】
なお、図１０に示したコンピュータ２の動作（Ｓ２６）の代わりに、コンピュータ２に、図１１に示す動作（Ｓ２８）を行わせてもよい。
図１１に示すように、設定情報の送信を要求されたコンピュータ２の動作（Ｓ２８）は、図８に示したＳ２０４の処理を、Ｓ２８０で置き換えることにより実現される。
プリンタ装置３から設定情報送信の要求があると、コンピュータ２は、印刷処理に関わらず、直ちに、Ｓ２８の処理を実行する。
図１１に示すように、Ｓ２０２の処理が終わると、ステップ２８０（Ｓ２８０）において、コンピュータ２は、プリンタ装置３から設定情報の送信の要求があったか否かを判断する。
送信の要求があったときには、コンピュータ２はＳ２０６の処理に進み、これ以外のときにはＳ２０２の処理に戻る。
なお、図６に示した第３の動作と、ここに示した第５の動作とを組み合わせ、あるときにはコンピュータ２がプリンタ装置３に対して設定情報を設定し、またあるときにはプリンタ装置３からの要求に応じてコンピュータ２がプリンタ装置３に設定情報を設定するようにしてもよい。
例えば、図９に示すように、プリンタ装置３の起動時にプリンタ装置３がコンピュータ２に対して情報を要求した場合にコンピュータ２が設定情報をプリンタ装置３に対して送信し、その後は、図６に示すように、コンピュータ２が、所定のタイミングで、設定情報をプリンタ装置３に対して送信するようにしてもよい。
【００６９】
［第６の動作］
以下、図１に示した第１のネットワークシステム１の第６の動作（Ｓ３２）を説明する。
図１２は、共通の識別子（ＩＤ）が付された１つ以上のコンピュータ２に対して、プリンタ装置３からＩＤに共通の管理情報および設定情報を送信する動作（Ｓ３２）を示す第３の通信シーケンス図である。
図１２に示すように、この動作（Ｓ３２）は、プリンタ装置３に予め設定される管理情報および設定情報に、１つ以上のコンピュータ２に共通なＩＤ（共通ＩＤ；図示せず）がさらに設定され、図５に示した動作（Ｓ１４）のＳ１４８，Ｓ１５０，Ｓ１５２，Ｓ１５４，Ｓ１５６の処理を、Ｓ３２０，Ｓ３２２，Ｓ３２４，Ｓ３２６，Ｓ３２８の処理に置換することにより実現される。
【００７０】
ステップ３２０（Ｓ３２０）において、プリンタ装置３は、予め設定されていた機種情報および共通ＩＤを、要求元のコンピュータ２に送信する。
ステップ３２２（Ｓ３２２）において、コンピュータ２は、プリンタ装置３から返された機種情報と、インストールされたデバイスドライバに適合する機種情報とを照合し、プリンタ装置３から返された機種情報が示す機種と、インストールされたデバイスドライバに適合する機種とが一致するか否かを判断する。
機種情報が示す機種と、インストールされたデバイスドライバに適合する機種とが一致する場合には、ステップ３２４，３２６（Ｓ３２４，Ｓ３２６）において、コンピュータ２は、デバイスドライバに適合する機種のプリンタ装置３に対して、共通ＩＤを送信することによって、設定情報を要求する。
ステップ３２８，１５８（Ｓ３２８，Ｓ１５８）において、プリンタ装置３は、要求に付された共通ＩＤに基づいて、設定情報を自身の記憶装置などから読み出し、要求元のコンピュータ２に送信する。
なお、ここで説明した第６の動作においては、コンピュータ２からプリンタ装置３の設定情報を書き換えることができないようにしてもよい。
【００７１】
［第２のネットワークシステム２］
以下、本願実施形態が適用される第２のネットワークシステム４の構成を例示する図である。
図１３は、本願実施形態が適用される第２のネットワークシステム４の構成を例示する図である。
図１４は、図１３に示した情報管理プリンタ装置５に記憶される、プリンタ装置３および情報管理プリンタ装置５の管理情報および設定情報を示す図である。
図１３に示すように、ネットワークシステム４は、他のプリンタ装置３と同様な構成を採り、他のプリンタ装置３に比べてメモリ１０４および記憶装置１１２などの記憶容量が大きい（資源が大きい）情報管理プリンタ装置５が、ネットワーク１２０に、他のノードと通信可能に接続されて構成される。
第２のネットワークシステム４においては、情報管理プリンタ装置５自体およびプリンタ装置３の管理情報および設定情報（図２も参照）の記憶とその管理は、図１４に示すように、情報管理プリンタ装置５において、プリンタ装置３および情報管理プリンタ装置５ごとに行われる。
また、この場合、プリンタ装置３は、情報管理プリンタ装置５に送信して記憶させた情報の識別子と、その情報管理プリンタ装置５の識別子とを記憶している。
プリンタ装置３は、コンピュータ２から設定情報を受信すると、記憶資源に余裕がないため、情報管理プリンタ装置５に対して、その設定情報を送信する。
情報管理プリンタ装置５は、図１４に示すように、その設定情報の送信元のプリンタ装置３に関する情報であるように対応付けて、受信した設定情報を記憶する。
【００７２】
図１５は、図１３に示した第２のネットワークシステム４の動作（Ｓ３６）を示す第４の通信シーケンス図である。
ステップ３６０，３６２（Ｓ３６０，Ｓ３６２）において、プリンタ装置３は、コンピュータ２から検索信号を受信し、情報管理プリンタ装置５に対して、機種情報を送信することによって管理情報を要求する。
【００７３】
ステップ３６４，３６６（Ｓ３６４，Ｓ３６６）において、情報管理プリンタ装置５は、受信した機種情報に対応する管理情報を検索して、管理情報をプリンタ装置３に対して送信する。
Ｓ１５４の処理が終わると、ステップ３６８，３７０（Ｓ３６８，Ｓ３７０）において、プリンタ装置３は、情報管理プリンタ装置５に対して、受信した管理情報を送信することによって設定情報の送信を要求する。
ステップ３７２，３７４（Ｓ３７２，Ｓ３７４）において、情報管理プリンタ装置５は、受信した管理情報に対応する設定情報を検索して、設定情報をプリンタ装置３に対して送信する。
【符号の説明】
【００７４】
１，５・・・ネットワークシステム，
１２０・・・ネットワーク，
２・・・コンピュータ，
３・・・プリンタ装置，
１００・・・本体，
１０２・・・ネットワーク，
１０４・・・メモリ，
１０６・・・入出力装置，
１０８・・・機能実現装置，
１１０・・・ＩＦ，
１１２・・・記憶装置，
１１４・・・記憶媒体，
【図１】
2011044012.tif 000003
【図２】
2011044012.tif 000004
【図３】
2011044012.tif 000005
【図４】
2011044012.tif 000006
【図５】
2011044012.tif 000007
【図６】
2011044012.tif 000008
【図７】
2011044012.tif 000009
【図８】
2011044012.tif 000010
【図９】
2011044012.tif 000011
【図１０】
2011044012.tif 000012
【図１１】
2011044012.tif 000013
【図１２】
2011044012.tif 000014
【図１３】
2011044012.tif 000015
【図１４】
2011044012.tif 000016
【図１５】
2011044012.tif 000017